(57)【要約】【課題】昇降路内に設置された立柱と立柱を連結するつなぎ梁を、立柱から立柱外側方向へのつなぎ梁の突出が無い状態で固定できるようにして、据付作業や製作コストを削減できるエレベータのレール固定装置を得る。【解決手段】エレベータ昇降路１内に立設された形鋼からなる一対の立柱２と、昇降路内に立設され、かご３を案内する一対のかご側レール５と、昇降路内に立設され、釣合いおもり４を案内する一対のおもり側レール６と、かご側レール及びおもり側レールを立柱に固定するためのブラケット７、８と、ブラケットの立柱側に固定され、一対の立柱間を連結するつなぎ梁１２と、つなぎ梁と立柱との接合面の上面に施され、両者を固定する溶接１６と、つなぎ梁と立柱との接合面の下面に設けられ、つなぎ梁と立柱との接合面を挟み込んで固定するレールブラケット固定用クリップ２０とを備える。【選択図】図２
2008007312.tif 000002
【特許請求の範囲】
【請求項１】
エレベータ昇降路内に立設された形鋼からなる一対の立柱と、
前記昇降路内に立設され、かごを案内する一対のかご側レールと、
前記昇降路内に立設され、釣合いおもりを案内する一対のおもり側レールと、
前記かご側レール及び前記おもり側レールを前記立柱に固定するためのブラケットと、
前記ブラケットの前記立柱側に固定され、前記一対の立柱間を連結するつなぎ梁と、
前記つなぎ梁と前記立柱との接合面の上面に施され、両者を固定する溶接と、
前記つなぎ梁と前記立柱との接合面の下面に設けられ、前記つなぎ梁と前記立柱との接合面を挟み込んで固定するレールブラケット固定用クリップと、
を備えたことを特徴とするエレベータのレール固定装置。
【請求項２】
エレベータ昇降路内に立設された形鋼からなる一対の立柱と、
前記昇降路内に立設され、かごを案内する一対のかご側レールと、
前記昇降路内に立設され、釣合いおもりを案内する一対のおもり側レールと、
前記かご側レール及び前記おもり側レールの双方を前記立柱に固定するための共用ブラケットと、
前記かご側レールを前記立柱に固定するための独立ブラケットと、
前記共用ブラケット及び前記独立ブラケットの前記立柱側にそれぞれ固定され、前記一対の立柱間を連結するつなぎ梁と、
前記つなぎ梁と前記立柱との接合面の上面に施され、両者を固定する溶接と、
前記つなぎ梁と前記立柱との接合面の下面に設けられ、前記つなぎ梁と前記立柱との接合面を挟み込んで固定するレールブラケット固定用クリップと、
を備えたことを特徴とするエレベータのレール固定装置。
【請求項３】
つなぎ梁の両側端部は、立柱の接合面の外側方向に突出が無い状態で固定できることを特徴とする請求項１又は請求項２記載のエレベータのレール固定装置。
【請求項４】
レールブラケット固定用クリップは、ネジ穴と、このネジ穴に挿通されたボルトからなる締結手段によりつなぎ梁と立柱との接合面を挟み込んで固定することを特徴とする請求項１〜請求項３のいずれかに記載のエレベータのレール固定装置。
【請求項５】
レールブラケット固定用クリップは、楔機能を持つことを特徴とする請求項１〜請求項３のいずれかに記載のエレベータのレール固定装置。
【請求項６】
レールブラケット固定用クリップは、内側にはずれ止めを設けたことを特徴とする請求項５記載のエレベータのレール固定装置。
【請求項７】
レールブラケット固定用クリップは、内側にすべり止めを設けたことを特徴とする請求項１〜請求項６のいずれかに記載のエレベータのレール固定装置。
【発明の詳細な説明】
【技術分野】
【０００１】
この発明は、エレベータの昇降路内に設置されるエレベータのレール固定装置に関するものである。
【背景技術】
【０００２】
従来のエレベータのレール固定装置においては、エレベータの昇降路内の建築躯体に立設されるＨ形鋼を材料とする立柱と立柱を連結するつなぎ梁は、立柱との接合面で上面、下面ともに溶接固定するか、或いは上面を溶接固定し、下面をレール固定用クリップにてボルトで締結固定する構成にしている（例えば、特許文献１参照）。
【０００３】
【特許文献１】実公平４−４２２９９号公報
【発明の開示】
【発明が解決しようとする課題】
【０００４】
従来のエレベータのレール固定装置では、立柱と立柱を連結するつなぎ梁の下面を溶接固定する場合は、上向き溶接となり、高い溶接技術を必要とする。また、上向き溶接有資格者にて施工しなくてはならないので、有資格者の派遣により製作コストが高くなる。また、つなぎ梁の下面をレール固定用クリップにてボルトで締結固定する場合は、つなぎ梁にボルトを通すための穴明け作業を施さなければならないし、レール固定用クリップを締結するためのスペースが必要になるため、立柱から立柱外側方向へつなぎ梁が突出するので、地震時の主ロープ等の引っ掛りの原因にもなる。また、立柱の施工誤差によりつなぎ梁が据付けられなくなり、製作・加工をし直さなければならない場合もある。
【０００５】
この発明は上記のような課題を解決するためになされたもので、昇降路内に設置された立柱と立柱を連結するつなぎ梁を、立柱から立柱外側方向へのつなぎ梁の突出が無い状態で固定できるようにして、据付作業や製作コストを削減できるエレベータのレール固定装置を提供するものである。
【課題を解決するための手段】
【０００６】
この発明に係るエレベータのレール固定装置は、エレベータ昇降路内に立設された形鋼からなる一対の立柱と、昇降路内に立設され、かごを案内する一対のかご側レールと、昇降路内に立設され、釣合いおもりを案内する一対のおもり側レールと、かご側レール及びおもり側レールを立柱に固定するためのブラケットと、ブラケットの立柱側に固定され、一対の立柱間を連結するつなぎ梁と、つなぎ梁と立柱との接合面の上面に施され、両者を固定する溶接と、つなぎ梁と立柱との接合面の下面に設けられ、つなぎ梁と立柱との接合面を挟み込んで固定するレールブラケット固定用クリップとを備えたものである。
【発明の効果】
【０００７】
この発明によれば、立柱の接合面から立柱外側方向へのつなぎ梁端部の突出が無いので、地震時の主ロープ等の引っ掛りを防止できる。また、つなぎ梁にボルトを通すための穴明け作業が不要となるので、製作期間が短縮できる。また、立柱とつなぎ梁をクリップで挟むことにより簡単に固定できるので、つなぎ梁の据付位置を調整する必要がなく、据付作業が削減できる。
【発明を実施するための最良の形態】
【０００８】
実施の形態１.
図１はこの発明の実施の形態１におけるエレベータのレール固定装置を示す昇降路の平面断面図、図２はこの発明の実施の形態１におけるエレベータのレール固定装置の共用ブラケット部分を示す斜視図、図３はこの発明の実施の形態１におけるエレベータのレール固定装置の単独ブラケット部分を示す斜視図、図４はこの発明の実施の形態１におけるエレベータのレール固定装置のレールブラケット固定用クリップを示す平面図、図５はこの発明の実施の形態１におけるエレベータのレール固定装置のレールブラケット固定用クリップを示す斜視図である。
【０００９】
図１において、１はエレベータ昇降路、２は昇降路内の建築躯体に立設されたＨ形鋼を材料とする一対の立柱、３はエレベータのかご、４は釣合いおもり、５はかご３を案内する一対のかご側レール、６は釣合いおもり４を案内する一対のおもり側レールで、このレール５、６は昇降路１内に立設されている。かご３と釣合いおもり４は主ロープ（図示せず）によって連結され、レール５、６に案内されて昇降路１内を昇降する。７はかご側レール５及びおもり側レール６の双方を昇降路１内の立柱２に固定するための共用レールブラケット、８はかご側レール５を昇降路１内の立柱２に固定するための単独レールブラケットである。
【００１０】
図２に示す共用レールブラケット７の構成において、かご側レール５はＬ字形のかご側レール固定金具９の垂直辺部にレールクリップ１３、ボルト１４及びナット１５により締結されている。また、一対のおもり側レール６はこれに対応するＬ字形のおもり側レール固定金具１０の垂直辺部にレールクリップ１３、ボルト１４及びナット１５により締結されている。また、共用レールブラケット７は、左右一対のおもり側レール固定金具１０と、この左右一対のおもり側レール固定金具１０を互いに連結しかご側レール固定金具９を中間部に装備したＬ字形の連結金具１１とから構成されており、これらは製作時に既に各構成部材の相互を溶接等により一体化したものである。この共用レールブラケット７は、左右一対のおもり側レール固定金具１０の水平辺部下面の立柱２側端をＬ字形のつなぎ梁１２の水平辺部上に溶接により固定されている。
【００１１】
図３に示す単独レールブラケット８の構成において、かご側レール５はＬ字形のかご側レール固定金具９の垂直辺部にレールクリップ１３、ボルト１４及びナット１５により締結されている。また、独立レールブラケット８は、かご側レール固定金具９の水平辺部下面をＬ字形のつなぎ梁１２の水平辺部上に溶接により固定されている。
【００１２】
上記共用レールブラケット７及び単独レールブラケット８の各つなぎ梁１２の両端垂直辺部は、それぞれの左右一対の立柱２との接合面であり、この接合面（垂直辺部）の上面は溶接１６により立柱２にそれぞれ固定されている。この時、各つなぎ梁１２の両側端部は、立柱２の接合面の外側方向に突出が無い状態とされている。また、各つなぎ梁１２の垂直辺部と立柱２との接合面の下面は、溶接ではなくこの発明による断面Ｕ字形のレールブラケット固定用クリップ２０にて立柱２の外側方向より挟み込んで固定される。
【００１３】
上記断面Ｕ字形のレールブラケット固定用クリップ２０は、図４、図５に示すように、正面側の一辺にネジ穴２１を設け、このネジ穴２１にボルト２２を挿し込んでおく。また、ボルト２２の先端には止めナット２３が溶接固定されており、ボルト２２を回して締め付け固定する。また、レールブラケット固定用クリップ２０の内面側上下部には凸凹によるすべり止め２４が設けられており、すべりにくくしている。
【００１４】
以上の構成により、立柱接合面から立柱外側方向へのつなぎ梁端部の突出が無いので、地震時の主ロープ等の引っ掛りを防止できる。また、つなぎ梁にボルトを通すための穴明け作業が不要となるので、製作期間が短縮できる。また、立柱とつなぎ梁をクリップで挟むことにより簡単に固定できるので、つなぎ梁の据付位置を調整する必要がなく、据付作業が削減できる。
【００１５】
実施の形態２.
図６はこの発明の実施の形態２におけるエレベータのレール固定装置のレールブラケット固定用クリップを示す平面図、図７はこの発明の実施の形態２におけるエレベータのレール固定装置のレールブラケット固定用クリップを示す斜視図である。なお、実施の形態１と同一又は相当部分には同一符号を付して説明を省略する。
【００１６】
この実施の形態２では、断面Ｕ字形のレールブラケット固定用クリップ２０の開放端側を若干広げてそれ自体に楔機能を持たせている。また、外周面に凸凹を施した円柱状のはずれ止め２５をレールブラケット固定用クリップ２０の内面側の一辺に縦方向に沿って固定している。
【００１７】
上記実施の形態２によれば、レールブラケット固定用クリップ２０の反開放端側をハンマー等で一撃すれば、つなぎ梁１２の垂直辺部と立柱２との接合面の下面に圧入されて、はずれ止め２５が楔効果により把持される。したがって、レールブラケット固定用クリップの据付け作業が極めて簡単となる。
【図面の簡単な説明】
【００１８】
【図１】この発明の実施の形態１におけるエレベータのレール固定装置を示す昇降路の平面断面図である。
【図２】この発明の実施の形態１におけるエレベータのレール固定装置の共用ブラケット部分を示す斜視図である。
【図３】この発明の実施の形態１におけるエレベータのレール固定装置の単独ブラケット部分を示す斜視図である。
【図４】この発明の実施の形態１におけるエレベータのレール固定装置のレールブラケット固定用クリップを示す平面図である。
【図５】この発明の実施の形態１におけるエレベータのレール固定装置のレールブラケット固定用クリップを示す斜視図である。
【図６】この発明の実施の形態２におけるエレベータのレール固定装置のレールブラケット固定用クリップを示す平面図である。
【図７】この発明の実施の形態２におけるエレベータのレール固定装置のレールブラケット固定用クリップを示す斜視図である。
【符号の説明】
【００１９】
１  エレベータ昇降路
２  立柱
３  かご
４  釣合いおもり
５  かご側レール
６  おもり側レール
７  共用ブラケット
８  単独ブラケット
９  かご側レール固定金具
１０  おもり側レール固定金具
１１  連結金具
１２  つなぎ梁
１３  レールクリップ
１４  ボルト
１５  ナット
１６  溶接
２０  レールブラケット固定用クリップ
２１  ネジ穴
２２  ボルト
２３  止めナット
２４  すべり止め
２５  はずれ止め
【図１】
2008007312.tif 000003
【図２】
2008007312.tif 000004
【図３】
2008007312.tif 000005
【図４】
2008007312.tif 000006
【図５】
2008007312.tif 000007
【図６】
2008007312.tif 000008
【図７】
2008007312.tif 000009